(57)【要約】 【課題】  駆動部１１に丸鋸刃１２を装着し、更に駆動部と一体で且つ丸鋸刃の上方部分を覆うソーカバー１３からなる本体部１と、丸鋸刃の下方部分を所定の開口部２１から下面に露出させるように前記本体部を装着するベース体部２とを備え、本体部が切断進行方向を軸方向として回動傾斜可能で且つ基部を中心に本体部の持ち上げ回動が可能となるように、ソーカバーの基部において、コの字状で傾斜固定自在に設けた支持部２２に、ソーカバーに付設した軸受部１４を、支持部の対向面と前記軸受部１４を貫通する軸体３で装着してなる丸鋸機における支持部２２と軸受部１４の連結箇所からの切り粉の噴出を防止する。【解決手段】  支持部２２の内壁面と一致し、且つ軸体挿通孔を対向面に設けると共に、軸受部の下方に位置する遮蔽面を備えた遮蔽部材４を形成し、前記遮蔽部材４を軸受部１４と一緒に軸体３で支持部２２に装着してなる。【選択図】図１
0003112004.tif 000002
【実用新案登録請求の範囲】
【請求項１】
駆動部に丸鋸刃を装着し、更に駆動部と一体で且つ丸鋸刃の上方部分を覆うソーカバーからなる本体部と、丸鋸刃の下方部分を所定の開口部から下面に露出させるように前記本体部を装着するベース体部とを備え、本体部が切断進行方向を軸方向として回動傾斜可能で且つ基部を中心に本体部の持ち上げ回動が可能となるように、ソーカバーの基部においてコの字状で傾斜固定自在に設けた支持部に、ソーカバーに付設した軸受部を、支持部の対向面と前記軸受部を貫通する軸体で装着してなる丸鋸機であって、支持部の内壁面と一致し、且つ軸体挿通孔を対向面に設けると共に、軸受部の下方に位置する遮蔽面を備えた遮蔽部材を形成し、前記遮蔽部材を軸受部と一緒に軸体で支持部に装着してなることを特徴とする丸鋸機。
【請求項２】
遮蔽面の前縁がソーカバー外周面と当接する形状に形成してなる請求項１記載の丸鋸機。
【考案の詳細な説明】
【技術分野】
【０００１】
本考案は、丸鋸機における切り粉の飛散防止構造に関するものである。
【背景技術】
【０００２】
丸鋸機は、駆動部（モータ）１１に丸鋸刃１２を装着し、更に駆動部１１と一体で且つ丸鋸刃１２の上方部分を覆うソーカバー１３で本体部１を構成し、この本体部１を、丸鋸刃１２の下方部分を所定の開口部２１から下面に露出させるようにベース体部２に装着しているものである。
【０００３】
特に本体部１のべース体部２との装着構造は、本体部１がベース体部２に対して、切断進行方向を軸方向として回動傾斜可能で、且つ少なくとも駆動軸から丸鋸刃１２を着脱する際に、丸鋸刃１２の全体がベース体部２の面上に位置できるようにしている。
【０００４】
即ちソーカバー１３の基部において、ベース体部２側にベベルプレートと称されるコの字の支持部２２を傾斜固定可能に設け、ソーカバー１３側には、前記支持部２２の対向面間に介在させる軸受部１４を設け、支持部２２の対向面２３と前記軸受部１４を貫通する軸体（支持ピン等）３で連結して、ソーカバー１３を上下方向の回動を可能に連結し、ソーカバー１３の先部においては、前記支持部２２の傾斜中心軸と対応する軸方向でベース体部に傾斜可能に固定してなるものである（特許文献１：特開平１０−２９６７０１号公報、図５、図７参照）。
【０００５】
また前記構成の丸鋸機において、作業中に発生する切り粉の飛散防止処理について、種々の構造が採用されている。例えば特許文献２（特開平８−３０９６１７号公報）には、ソーカバーの駆動部側面において、ソーカバー下端縁や又はベース体部の開口縁より立ち上げて当該箇所を遮蔽する構成が開示されている。
【０００６】
また特許文献３（実開平６−８３２２２号公報）には、ソーカバーの内周面に突起を設けてソーカバーの内周面に添って移動する切り粉を前記突起に衝突させて、外下方（ベース体の外側）に飛散するようにし、更に前記の外下方に飛散する切り粉がベース体部に衝突して上方に跳ね返るのを防止するため、ベース体部の側縁を傾斜面に計背することが提案されている。
【０００７】
【特許文献１】特開平１０−２９６７０１号公報
【特許文献２】特開平８−３０９６１７号公報。
【特許文献３】実開平６−８３２２２号公報。
【考案の開示】
【考案が解決しようとする課題】
【０００８】
ところで切り粉の飛散防止手段は前記の通り種々提案されているが、本体部の傾斜支持のためのソーカバー後方部分においては、ソーカバーの内周面に添って高速移動する切り粉は、そのまま大部分は開口部から下方へ排出されるが、一部はベース体部の上面に衝突し跳ね返り、跳ね返った切り粉はソーカバーの内周面に添って高速移動した切り粉に衝突する現象も生ずる。この結果切断作業中では、ソーカバーの基部端下方部分において乱反射する切り粉が、傾斜支持部と軸受部の間隙から上方に噴出し、作業者に直接降りかかってしまう。
【０００９】
そこで本考案は、簡単に傾斜支持部と軸受部との間隙からの切り粉飛散を防止することができる新規な構造を提案したものである。
【課題を解決するための手段】
【００１０】
本考案に係る丸鋸機は、駆動部に丸鋸刃を装着し、更に駆動部と一体で且つ丸鋸刃の上方部分を覆うソーカバーからなる本体部と、丸鋸刃の下方部分を所定の開口部から下面に露出させるように前記本体部を装着するベース体部とを備え、本体部が切断進行方向を軸方向として回動傾斜可能で且つ基部を中心に本体部の持ち上げ回動が可能となるように、ソーカバーの基部において、コの字状で傾斜固定自在に設けた支持部に、ソーカバーに付設した軸受部を、支持部の対向面と前記軸受部を貫通する軸体で装着してなる丸鋸機であって、支持部の内壁面と一致し、且つ軸体挿通孔を対向面に設けると共に、軸受部の下方に位置する遮蔽面を備えた遮蔽部材を形成し、前記遮蔽部材を軸受部と一緒に軸体で支持部に装着してなることを特徴とするものである。
【考案の効果】
【００１１】
本考案は、既存の丸鋸機に対して、当該機器に対応する大きさの遮蔽部材を形成し、所定箇所に組み込むことによって、ソーカバーと支持部との間隙から飛散する切り粉を防止しているもので、既存丸鋸機に対して飛散防止対策が容易に対応でき、しかも単一部材を特別な組み込み構造を採用することなく、簡単な構成手段で実現できたものである。
【考案を実施するための最良の形態】
【００１２】
次に本考案の実施の形態について説明する。実施形態の丸鋸機は、基本的に従前のものと同様で、本体部１とベース部２とで構成される。
【００１３】
本体部１は、駆動部（モータ）１１に丸鋸刃１２を装着し、更に駆動部１１と一体で且つ丸鋸刃１２の上方部分を覆うソーカバー１３で構成されている。
【００１４】
ベース体部２は、矩形板で切断対象の板材上を移動する部材で、所定位置に丸鋸刃１２の下方部分が下方に突出する開口部２１を備えると共に、本体部１がベース体部２に対して丸鋸刃１２が所定の傾斜（切断進行方向を軸方向としての回動傾斜）が可能であって、且つ少なくとも駆動軸から丸鋸刃１２を着脱する際に、丸鋸刃１２の全体がベース体部２の面上に位置できるように本体部１を取り付けてなるものである。
【００１５】
具体的には、ソーカバー１３の基部において、ベース体部２側にコの字の支持部２２（ベベルプレートと称される）を傾斜固定可能に設け、ソーカバー１３側には、前記支持部２２の対向面間に介在させる軸受部１４を設け、軸受部１４を前記支持部２２の対向面２３の間に配置し、対向面２３と前記軸受部１４を貫通する軸体（貫通ボルト３１及びナット３２で構成）３で連結し、下記のソーカバー１３のサブにおける連結固定が解除されている状態で、前記軸体３を回動軸として、本体部１の全体をベース体部２の上方に露出させることが可能な回動構造としたものである。
【００１６】
またソーカバー１３の先部においては、ベース体部２に設けた受け部２４に、前記支持部２２の傾斜中心軸と対応する軸方向（切断進行方向）の止着軸１５で固定し、ベース体部２に対して、本体部１が所定の回動傾斜固定が可能なように取り付けてなる。
【００１７】
本考案は前記既存の丸鋸機において、特に支持部２２箇所において、切り粉の飛散を防止する遮蔽部材４を組み込んだものである。
【００１８】
遮蔽部材４は、背面部４１と対向面４２を支持部２２の内壁面と一致させ、且つ軸体３の挿通孔４３を対向面４２に設けると共に、支持部２２に軸受部１４を装着させた場合に、軸受部１４の下方に位置する遮蔽面４４を備えてなり、特に遮蔽面４４の前縁４５は、ソーカバー１３のリブが密嵌する凹部を形成する等ソーカバー外周面と当接する形状に形成してなるものである。
【００１９】
而して前記遮蔽部材４は、本体部１をベース体部２から外し、支持部２２の内壁面に密着させ、しかる後軸受部１４を配置し、貫通ボルト３１を貫通挿着して本体部１をベース体部２に装着固定することで丸鋸機の所定位置に組み込まれるものである。
【００２０】
切断作業に際しては、ソーカバー１３の内周面に添って高速移動してソーカバー１３の基端下方から吹き出す切り粉が、ベース体部２に衝突し更に反射して生ずる支持部２２と軸受部１４の間隙からの上方へ噴出することを、遮蔽部材４で遮蔽することで防止されるものである。
【図面の簡単な説明】
【００２１】
【図１】本考案の実施形態の丸鋸機の全体斜視図。
【図２】同正面図。
【図３】同平面図。
【図４】同遮蔽部材の斜視図。
【図５】同ベース体部の一部（支持部近傍）の斜視図（遮蔽部材配置前）。
【図６】同ベース体部の一部（支持部近傍）の斜視図（遮蔽部材配置後）。
【符号の説明】
【００２２】
１        本体部
１１      駆動部（モータ）
１２      丸鋸刃
１３      ソーカバー
１４      軸受部
１５      止着軸
２        ベース体部
２１      開口部
２２      支持部
２３      対向面
２４      受け部
３        軸体
３１      貫通ボルト
３２      ナット
４        遮蔽部材
４１      背面部
４２      対向面
４３      挿通孔
４４      遮蔽面
４５      前縁
【図１】
0003112004.tif 000003
【図２】
0003112004.tif 000004
【図３】
0003112004.tif 000005
【図４】
0003112004.tif 000006
【図５】
0003112004.tif 000007
【図６】
0003112004.tif 000008